(57)【要約】【課題】フットペダル装置を非使用時にコンパクトに収納できるようにする。【解決手段】フットペダル装置４０は、保持枠体４１とペダル部５０と係止ピン５５とで構成される。保持枠体４１は、基部４２及び枠部４３を有し、枠部４３に開口部４５が形成される。開口部４５は、平面視でペダル部５０の外縁５３の形状とほぼ同じであり、平板からちょうどペダル部５０をくり抜いたような形状に形成される。ペダル部５０は、保持枠体４１と同厚で、保持枠体４１に対して平行となるまで回動したとき、保持枠体４１の開口部４５内に完全に嵌入され、且つ、保持枠体４１の厚み方向において保持枠体４１に完全に収容される。【選択図】図３
2007256626.tif 000002
【特許請求の範囲】
【請求項１】
開口部を有し、垂直断面の最外郭形状が平板状の保持枠体と、
前記保持枠体の前記開口部の内側の一部に接続され、該接続された部分を回動中心として先端部が回動自在に前記保持枠体に保持された平板状の踏み板部とを有し、
前記開口部は、前記踏み板部をくり抜いた形状に形成され、
前記踏み板部の厚みは、前記保持枠体の厚みと同等以下に形成され、
前記踏み板部は、前記保持枠体に対して平行となるまで回動したとき、前記開口部に完全に嵌入され、且つ、前記保持枠体の厚み方向において前記保持枠体に完全に収容されるように構成されたことを特徴とするフットペダル装置。
【請求項２】
少なくとも１つのドラムボードが固定的に備えられた支持体と、
前記支持体に回動自在に取り付けられた回動支点部、該回動支点部から延びるビータロッド、及び、該ビータロッドの先端に設けられ、前記回動支点部を中心に回動することで前記ドラムボードを打撃するビータから構成されるビータ体と、
前記支持体に着脱自在に構成され、踏み込み操作により先端部が揺動するフットペダルと、
前記ビータ体の前記回動支点部に設けられた被駆動部と前記フットペダルの前記先端部とを接続／切り離し可能にすると共に、両者を接続しているときには、前記フットペダルの踏み込み操作を前記被駆動部に伝達して前記ビータを回動させる踏力伝達部材とを有することを特徴とする打楽器装置。
【請求項３】
少なくとも前記フットペダルが前記回動支点部の前記被駆動部から切り離され且つ前記支持体からも切り離された状態で、前記ビータが回動しないように前記ビータ体を前記支持体に対して固定状態にするための回動ロック機構が設けられたことを特徴とする請求項２記載の打楽器装置。
【発明の詳細な説明】
【技術分野】
【０００１】
本発明は、踏み込み操作によりドラムの打撃がなされるフットペダル装置及び打楽器装置に関する。
【背景技術】
【０００２】
従来、打楽器装置において、バスドラム等のドラムを足の操作で打撃するためのフットペダル装置が備えられる。従来のフットペダル装置は、下記特許文献１、２に示されるように、回動支点を中心に回動自在のビータロッドの先端にビータが設けられてビータ体（ビータアセンブリ）が構成され、回動支点とペダル先端とが踏力伝達部材で連結される。そして、ペダルの踏み込み操作によりビータが回動支点を中心に回動するように構成される。
【特許文献１】特開平１１−２１２５６６号公報
【特許文献２】特開２００５−１７３２７４号公報
【発明の開示】
【発明が解決しようとする課題】
【０００３】
しかしながら、上記従来のフットペダル装置では、上記ビータ体及びペダルは、共にベースプレート等の支持部に対して取り付けられ、全体として１つの組体として構成される。そして、この組体となっているフットペダル装置は、各種ドラムやドラムを支持するフレームとは分離独立して構成され、演奏時には、ビータがドラムを打撃できるような位置にフットペダル装置が載置されるのが通常である。
【０００４】
そのため、演奏を行わない収納時においても、フットペダル装置自体はその組体のまま収納されることから、立体的で嵩張るという問題があった。しかも、フットペダル装置におけるペダルが、踏み込み操作可能なように先端が常に浮いている構成のものでは、ペダル部分の嵩張りも収納には不利であった。
【０００５】
本発明は上記従来技術の問題を解決するためになされたものであり、その目的は、非使用時にフットペダルをコンパクトに収納することができるフットペダル装置及び打楽器装置を提供することにある。
【課題を解決するための手段】
【０００６】
上記目的を達成するために本発明の請求項１のフットペダル装置は、開口部（４５）を有し、垂直断面の最外郭形状が平板状の保持枠体（４１）と、前記保持枠体の前記開口部の内側の一部に接続され、該接続された部分を回動中心（４７）として先端部が回動自在に前記保持枠体に保持された平板状の踏み板部（５０）とを有し、前記開口部は、前記踏み板部をくり抜いた形状に形成され、前記踏み板部の厚みは、前記保持枠体の厚みと同等以下に形成され、前記踏み板部は、前記保持枠体に対して平行となるまで回動したとき、前記開口部に完全に嵌入され、且つ、前記保持枠体の厚み方向において前記保持枠体に完全に収容されるように構成されたことを特徴とする。
【０００７】
上記目的を達成するために本発明の請求項２の打楽器装置は、少なくとも１つのドラムボード（１２）が固定的に備えられた支持体（１０）と、前記支持体に回動自在に取り付けられた回動支点部（３１）、該回動支点部から延びるビータロッド（３２）、及び、該ビータロッドの先端に設けられ、前記回動支点部を中心に回動することで前記ドラムボードを打撃するビータ（３３）から構成されるビータ体（３０）と、前記支持体に着脱自在に構成され、踏み込み操作により先端部が揺動するフットペダル（５０）と、前記ビータ体の前記回動支点部に設けられた被駆動部（３１ａａ）と前記フットペダルの前記先端部とを接続／切り離し可能にすると共に、両者を接続しているときには、前記フットペダルの踏み込み操作を前記被駆動部に伝達して前記ビータを回動させる踏力伝達部材（３７）とを有することを特徴とする。
【０００８】
好ましくは、少なくとも前記フットペダルが前記回動支点部の前記被駆動部から切り離され且つ前記支持体からも切り離された状態で、前記ビータが回動しないように前記ビータ体を前記支持体に対して固定状態にするための回動ロック機構（２６）が設けられる（請求項３）。
【０００９】
なお、上記括弧内の符号は例示である。
【発明の効果】
【００１０】
本発明の請求項１によれば、非使用時にコンパクトに収納することができる。
【００１１】
本発明の請求項２によれば、フットペダルを支持体及びビータ体から切り離し可能にして、コンパクトに収納することができる。
【００１２】
請求項３によれば、非使用時にビータ体が嵩張らないようにすることができる。
【発明を実施するための最良の形態】
【００１３】
以下、本発明の実施の形態を図面を参照して説明する。
【００１４】
図１は、本発明の一実施の形態に係るフットペダル装置を装着可能な打楽器装置の斜視図である。この打楽器装置は電子ドラムとして構成される。以降、本打楽器装置の奏者が座る側を「奏者側」乃至「正面側」、これと反対の観客が居る側を「客側」乃至「背面側」と呼称する。また、本打楽器装置の前後左右の方向は、奏者を基準として呼称する。図１は斜め奏者側から見た図である。
【００１５】
本打楽器装置は、メインボード１０と、複数の打撃用のドラムボード２０（２０Ａ〜２０Ｇ）、及び操作パネル部１９を備える。メインボード１０は、木質材等によって板状に構成され、その外縁１１は、正面視で横長の長方形に構成される。メインボード１０は、４本の脚部６０（奏者側面１０ａのもののみ図示）によって、メインボード１０の下部が床面から浮いた状態で、垂直に立設される。各ドラムボード２０及び操作パネル部１９は、メインボード１０に対して展開／折り畳み自在となっている。
【００１６】
メインボード１０の奏者側面１０ａにおいては、円形の枠部１３が設けられている。枠部１３は、奏者側からアコースティックドラムセットにおけるバスドラムを想起させるべく、正面視、バスドラムのシェル型を呈している。また、メインボード１０の奏者側面１０ａにおける、枠部１３の中央部には、バスドラムボード１２が固定的に配設される。バスドラムボード１２は、アコースティックドラムセットにおけるバスドラムの中央部（主に打撃される部分）に相当する位置に配設される。
【００１７】
メインボード１０の右側部には、ドラムボード２０を打撃するドラムスティック１５を保持するためのスティック保持部１４（１４Ａ、１４Ｂ）が設けられている。スティック保持部１４の構成は問わないが、例えば、下側に配設される皿状受け部１４Ｂと、上側に配設される環状部１４Ａとからなる。皿状受け部１４Ｂは、ドラムスティック１５を受ける底部を有する。ドラムスティック１５を収納するには、上方から環状部１４Ａを貫通させて皿状受け部１４Ｂにドラムスティック１５の端部を当接させればよい。
【００１８】
スティック保持部１４に保持されたドラムスティック１５は、その長手方向が、メインボード１０の奏者側面１０ａと奏者側面１０ａの反対側の背面とに対して平行になる。ドラムスティック１５及びスティック保持部１４は、メインボード１０の厚みの範囲内に収まっている。なお、メインボード１０の厚みを超えるとしても、メインボード１０の奏者側面１０ａまたは背面から突出している要素（例えば、図１に示す取付部６１、６２等）の先端より、メインボード１０の厚み方向内側に収まるならば、収納の点で問題はない。
【００１９】
図示はしないが、メインボード１０には、音源回路、増幅回路、効果回路等の楽音発生のための基板が内装され、また、ドラムボード２０、バスドラムボード１２の各々には、打撃を検出する不図示の打撃センサが設けられている。各打撃センサの検出信号は、上記基板に送られ、楽音信号に変換される。そして、その楽音信号が、枠部１３内に配設された不図示のスピーカから音響となって放音される。また、操作パネル部１９は、ＬＣＤ等で構成され、ユーザが、音色、音量、モード等、各種設定を行うのに用いられる。
【００２０】
図２は、本実施の形態のフットペダル装置を装着した状態を示す打楽器装置の下半部の斜め奏者側からの斜視図である。枠部１３内において、バスドラムボード１２の下方には、ビータ支持部３５が固定され、ビータ支持部３５には、２つの軸支片３６を介してビータ体３０が取り付けられている。ビータ体３０は、回動支点部３１から延びるビータロッド３２の先端に、バスドラムボード１２を打撃するビータ３３が取り付けられて構成される。また、演奏を行うために、メインボード１０の左右方向中央における下方から奏者側にかけて、フットペダル装置４０が床上に配設される。
【００２１】
図３（ａ）は、フットペダル装置４０の平面図である。図３（ｂ）は、後述する枠部４３の一部４３ａの底面図、図３（ｃ）は、図３（ｂ）のＡ−Ａ線に沿う断面図である。
【００２２】
このフットペダル装置４０は、保持枠体４１とペダル部５０と係止ピン５５とで構成される。保持枠体４１とペダル部５０とは、例えば、金属または樹脂等で一体に形成される。すなわち、保持枠体４１は、基部４２及び枠部４３を有し、枠部４３に開口部４５が形成される。開口部４５は、平面視でペダル部５０の外縁５３の形状とほぼ同じであり、平板からちょうどペダル部５０をくり抜いたような形状に形成される。そして、ペダル部５０の基端部５１が、開口部４５における基部４２側の辺において接続されており、この接続部分（ヒンジ部）を回動中心４７として、ペダル部５０の先端部５２が上下方向に揺動自在になっている。
【００２３】
ペダル部５０は、踏み込み操作されていない自由状態では、図２に示すように先端部５２が保持枠体４１から浮き上がっている。保持枠体４１とペダル部５０を金属で構成する場合は、例えば、塑性加工により、平板からペダル部５０を切り起こして所定の角度となるようにすることで製造される。樹脂で構成する場合は、金型による一体成形で製造することができる。
【００２４】
図３（ａ）では、ペダル部５０が踏まれた状態、乃至、収納のために保持枠体４１と平行となるまで回動した状態が示されている。保持枠体４１とペダル部５０とは、同厚に構成され、ペダル部５０は、保持枠体４１と平行な状態では、保持枠体４１の開口部４５内に完全に嵌入され、且つ、保持枠体４１の厚み方向において保持枠体４１に完全に収容される。なお、ペダル部５０を保持枠体４１内に完全に収容できればよいので、ペダル部５０の厚みは、保持枠体４１と同等以下で、且つ、ペダル部５０の底面及び上面が、保持枠体４１の底面及び上面に対して、それぞれ面一となるかまたは突出しないように構成すればよい。
【００２５】
保持枠体４１の先端部４４には、上下方向に貫通する嵌合穴４６が形成されている。また、ペダル部５０の先端部５２には、２本の延設片５４が先端方向に延設形成され、両延設片５４間に、上記した係止ピン５５が架設されている。演奏する際には、ビータ体３０の回動支点部３１と係止ピン５５とが、ペダル部５０の踏み込み操作を回動支点部３１に伝達するベルト３７（後述する）で連結される。
【００２６】
図示はしないが、ペダル部５０が保持枠体４１と平行になったままの状態で、これらを収納する別体の収納ケースが設けられる。すなわち、この収納ケースは、保持枠体４１が嵌合するような幅及び高さのポケット状の凹部を有しており、該凹部内でペダル部５０が保持枠体４１と平行になったままの姿勢で維持される。なお、このような別体の収納ケースの代わりに、保持枠体４１とペダル部５０のいずれかに、平行状態を維持するためのロック機構を設けてもよい。例えば、保持枠体４１に、スライド自在のピンを設けると共に、ペダル部５０に該ピンが嵌入可能な穴を設け、該ピンを該穴に嵌入することで、平行状態を維持するようにしてもよい。
【００２７】
このようにする場合、例えば、上記ピンは、保持枠体４１の先端部４４と枠部４３との接続部４４ａ、４４ｂ（図３（ａ）参照）に内蔵させる。そして、上記ピンに嵌合する穴を、２本の延設片５４に設ける。
【００２８】
なお、図３（ｂ）、（ｃ）に示すように、保持枠体４１は、外観上は平板状であるが、保持枠体４１の枠部４３の内部は、縦方向の複数のリブとリブ間に形成される凹部とを有している。枠部４３全体がこのように構成されている。このように、保持枠体４１は、垂直断面の最外郭形状が平板状であればよく、表面または裏面に凹部を有していても、全く有していなくてもどちらでもよい。ペダル部５０もこれと同様である。
図４（ａ）は、ペダル部５０の先端部５２及びベルト３７の下端部の斜視図である。ベルト３７の下端部には、水平な延設片３７ａ、３７ｂが形成され、延設片３７ａには、下方（延設片３７ｂ方向）に向かってネジ３８が設けられている。
【００２９】
ペダル部５０の先端部５２とベルト３７とを連結するには、まず、延設片３７ａ、３７ｂ間にペダル部５０の係止ピン５５を挿入し、ネジ３８を、係止ピン５５よりも基端部５１側に位置させる。そして、ネジ３８の下端が係止ピン５５よりも下方に達するまでネジ３８を締め込む。これにより、係止ピン５５が延設片３７ａ、３７ｂから抜けなくなり、連結が完了する。取り外し時には、ネジ３８を緩めればよい。
【００３０】
図４（ｂ）は、ビータ支持部３５付近の右側面図である。図２、図４（ｂ）に示すように、ビータ支持部３５からは、軸支片３６が２本（右側のもののみ図示）、奏者側に延設されている。そして、２本の軸支片３６間に架設された回動軸３４（図４（ｂ）参照）に、回動支点部３１が軸支されている。これにより、回動軸３４を中心に、回動支点部３１、ビータロッド３２を介してビータ３３が回動自在となり、ビータ３３によってバスドラムボード１２が打撃されるようになっている。
【００３１】
また、回動支点部３１の後側の側面視半円状の半円筒部３１ａのうち、ビータロッド３２が鉛直方向上方を向いた状態でビータ支持部３５に対向する部分が、ベルト取付部３１ａａとなっている。このベルト取付部３１ａａに、ベルト３７の上端が取り付けられている。また、半円筒部３１ａのベルト取付部３１ａａより上方の部分には、係止部３１ａｂが突出形成される。
【００３２】
また、ビータ支持部３５には、回動ロック機構２６が設けられる。回動ロック機構２６は、ビータ支持部３５に固定されたブロック２７と、ブロック２７から出没自在に保持された出没ピン２９と、出没ピン２９の出没移動を操作する操作部２８とから構成される。演奏時には、出没ピン２９は、ブロック２７内に収めておく。非演奏時等においてビータロッド３２が鉛直方向上方を向いた状態で、出没ピン２９を前方下方に突出させると、係止部３１ａｂの直ぐ上方に出没ピン２９の先端が位置することになる。
【００３３】
ここで、ペダル部５０の先端部５２とベルト３７とを連結していない状態では、ビータ体３０は回動自在な自由状態であり、ビータ３３が自重により下方まで回動しきった状態となる。一方、ペダル部５０の先端部５２とベルト３７の下端を連結した状態では、ペダル部５０の先端部５２からベルト３７を介して回動支点部３１が打撃方向に回転モーメントを受ける。従って、図２に示すように、ビータ３３は、自重と上記回転モーメントとにより、回動支点部３１からみて斜め上方の位置で釣り合って静止する。すなわち、バスドラムボード１２から適当量離間し、これから打撃をするのに適した位置に位置する。
【００３４】
出没ピン２９の操作は、通常、しばらく演奏を行わないときになされる。すなわち、ビータ体３０が上記した自由状態であるときになされ、特に、ビータロッド３２を手等で鉛直方向上方を向かせた状態で行う。出没ピン２９を係止部３１ａｂの上方で突出させると、ビータ３３が自重で下方に回動しようとするが、出没ピン２９と係止部３１ａｂとが当接して、その回動が規制される。これにより、収納時には、ビータ体３０をメインボード１０に対して平行に近い状態で近接させてメインボード１０の厚み方向にコンパクトにすることができる。
【００３５】
図５は、メインボード１０の左右方向中央部の水平断面図である。メインボード１０の客側には、プレート２１が固定されている。プレート２１は、少なくとも左右方向中央部下部に設けられるが、メインボード１０の客側面の全体に亘って設けられてもよい。メインボード１０の客側には、凹部１０ｂが形成される。凹部１０ｂ内において、プレート２１の奏者側には、支持部材２２が複数のネジ２５で固定され、支持部材２２とプレート２１とで形成される空間に、可動片２３（図２も参照）が、上下方向に移動自在に内装される。また、可動片２３からは、支持部材２２及びメインボード１０を貫通して、奏者側に向かって摘み部２４（図２も参照）が突設されている。
【００３６】
奏者は、摘み部２４を持って、可動片２３を上下に移動操作することができる。なお、可動片２３が、所望の位置で静止できるように、例えば、可動片２３と支持部材２２との間に適当な摩擦が発生するようになっている。
【００３７】
演奏する際には、フットペダル装置４０の保持枠体４１の先端部４４が可動片２３の下方に位置するように、フットペダル装置４０を床上に載置する。そして、可動片２３を下方に下げ、図２に示すように、保持枠体４１の嵌合穴４６（図３（ａ）参照）に嵌合する。これにより、簡単な操作にて、床面上において、フットペダル装置４０の保持枠体４１のメインボード１０に対する位置が固定される。さらに、ペダル部５０の先端部５２の係止ピン５５を、ベルト３７の延設片３７ａ、３７ｂで挟んでネジ３８を締める（図４（ａ）参照）。これにより、演奏可能状態となり、ペダル部５０の踏み込み操作に応じてビータ３３がバスドラムボード１２を打撃する。
【００３８】
本実施の形態によれば、ペダル部５０は、保持枠体４１と同厚で、保持枠体４１に対して平行となるまで回動したとき、保持枠体４１の開口部４５内に完全に嵌入され、且つ、保持枠体４１の厚み方向において保持枠体４１に完全に収容されるので、非使用時には、フットペダル装置４０を畳んでコンパクトに収納することができる。
【００３９】
また、ビータ体３０の回動支点部３１とペダル部５０の先端部５２の係止ピン５５とは、ベルト３７を介して接続／切り離し可能で、しかも、メインボード１０に設けた可動片２３によって、フットペダル装置４０の保持枠体４１もメインボード１０に対して接続／切り離し可能である。従って、非使用時には、フットペダル装置４０をビータ体３０及びメインボード１０から切り離して、コンパクトに収納することができる。
【００４０】
さらに、フットペダル装置４０をビータ体３０及びメインボード１０から切り離した状態において、ビータ体３０を、メインボード１０に対して平行に近接させた状態を維持する回動ロック機構２６を設けた。これにより、非使用時に、メインボード１０の厚み方向にコンパクトにすることができ、例えば、ビータ体３０が付いたままでのメインボード１０の運搬、収納等を容易にすることができる。
【００４１】
なお、本実施の形態では、保持枠体４１とペダル部５０とは一体に形成され、回動中心４７を中心として、ペダル部５０が保持枠体４１に対して揺動自在であるとしたが（図３（ａ）参照）、ペダル部５０が保持枠体４１の開口部４５の内側の一部に対して回動乃至揺動自在に接続された構成であればよく、両者は一体でも別体でもよい。例えば、回動中心４７に代えて、蝶番等の連結具で両者を回動自在に連結してもよい。その場合、一般のフットペダル装置と同様に、ペダル部５０を浮かした状態で保持する部材と、踏み込まれたペダル部５０を元の浮いた状態に復帰させるスプリングとを設けてもよい。
【００４２】
なお、本実施の形態では、ベルト３７の上端はベルト取付部３１ａ（図４（ｂ）参照）に常に固定されているとしたが、これに限るものではない。例えば、ベルト取付部３１ａに対しても着脱自在に構成し、収納時に、ベルト３７を、ビータ体３０及びフットペダル装置４０の双方から分離可能に構成してもよい。
【００４３】
なお、ベルト３７は、ペダル部５０への踏力をビータ体３０に伝達する部材であればよく、素材や形状は例示したものに限られない。例えば、金属チェーン等でもよい。
【００４４】
なお、ロック機構２６は、非使用時に、ビータ体３０をメインボード１０に対して回動しないように固定状態にすることができればよく、例示した構成に限るものではない。
【００４５】
なお、メインボード１０は、少なくとも１つのドラムボードが固定的に備えられた支持体であればよく、ドラムボードの種類、支持体の形状は問わない。
【図面の簡単な説明】
【００４６】
【図１】本発明の一実施の形態に係るフットペダル装置を装着可能な打楽器装置の斜視図である。
【図２】本実施の形態のフットペダル装置を装着した状態を示す打楽器装置の下半部の斜め奏者側からの斜視図である。
【図３】フットペダル装置の平面図（図（ａ））、枠部の一部の底面図、図３（ｂ）のＡ−Ａ線に沿う断面図（図（ｃ））である。
【図４】ペダル部の先端部及びベルトの下端部の斜視図（図（ａ））、ビータ支持部付近の右側面図（図（ｂ））である。
【図５】メインボードの左右方向中央部の水平断面図である。
【符号の説明】
【００４７】
１０  メインボード（支持体）、  １２  バスドラムボード（ドラムボード）、  ２６  回動ロック機構、  ３０  ビータ体、  ３１  回動支点部、  ３１ａａ  ベルト取付部（被駆動部）、  ３２  ビータロッド、  ３３  ビータ、  ３７  ベルト（踏力伝達部材）、  ４０  フットペダル装置、  ４１  保持枠体、  ４５  開口部、  ４７  回動中心、  ５０  ペダル部（踏み板部、フットペダル）
【図１】
2007256626.tif 000003
【図２】
2007256626.tif 000004
【図３】
2007256626.tif 000005
【図４】
2007256626.tif 000006
【図５】
2007256626.tif 000007